(57)【要約】      （修正有）【課題】充電電流を生成する回路の発熱を抑制する照明装置を提供する。【解決手段】照明装置３は、光源８と、バッテリ６０と、バッテリから光源を点灯させる電力を生成する非常点灯装置１０と、を備える。非常灯点灯装置は、交流電力１を整流して第一直流電力を生成する整流回路１２と、第一直流電力から定電流を生成することでバッテリを充電する充電回路１３と、を含む。充電回路は、リファレンス端子の電圧に応じた出力電圧を出力する電圧レギュレータと、電圧レギュレータの出力電圧に応じた出力電流を出力する半導体能動素子と、を含み、出力電流に応じた電圧をリファレンス端子に入力するように構築された定電流回路と、バッテリの電圧が予め定めた閾電圧以下であるときには第一定電流を出力し、バッテリの電圧が閾電圧を上回った場合には第一定電流よりも大きい第二定電流を出力するように、定電流回路の定電流値を調節する可変抵抗回路と、を含む。【選択図】図１
2019033663.tif 000002
【特許請求の範囲】
【請求項１】
光源と、
バッテリと、
前記バッテリから前記光源を点灯させる電力を生成する非常灯点灯装置と、
を備え、
前記非常灯点灯装置は、
交流電力を整流して第一直流電力を生成する整流回路と、
前記第一直流電力から定電流を生成することで前記バッテリを充電する充電回路と、
を含み、
前記充電回路は、
リファレンス端子の電圧に応じた出力電圧を出力する電圧レギュレータと、前記電圧レギュレータの前記出力電圧に応じた出力電流を出力する半導体能動素子と、を含み、前記出力電流に応じた電圧を前記リファレンス端子に入力するように構築された定電流回路と、
前記バッテリの電圧が予め定めた閾電圧以下であるときには第一定電流を出力し、前記バッテリの電圧が前記閾電圧を上回った場合には前記第一定電流よりも大きい第二定電流を出力するように、前記定電流回路の定電流値を調節する可変抵抗回路と、
を含む照明装置。
【請求項２】
前記半導体能動素子は、バイポーラトランジスタである請求項１に記載の照明装置。
【発明の詳細な説明】
【技術分野】
【０００１】
本発明は、照明装置に関する。
【背景技術】
【０００２】
従来、例えば、特開２００１−２１８３８８号公報に開示されているように、バッテリが空あるいは空に近い状態であっても適切に充電を行うことのできる充電装置および非常灯点灯装置が知られている。非常灯点灯装置は、常用時には外部に接続されたバッテリを充電する一方で、非常時にはこのバッテリの電力を用いて非常灯ランプを点灯させる。バッテリが空または空に近い状態では多くの充電電流が必要とされるので、充電回路の電圧が所定値より低下し非常時と誤判定されるおそれがある。この点、上記公報にかかる技術では、充電電流を検出することで誤判定を防止している。
【先行技術文献】
【特許文献】
【０００３】
【特許文献１】特開２００１−２１８３８８号公報
【発明の概要】
【発明が解決しようとする課題】
【０００４】
ところで、バッテリの充電のために定電流回路を用いることで上述した誤判定の問題を回避する方法がある。定電流回路の電源に用いる電圧は、通常、バッテリの満充電時の電圧よりも高い。バッテリの充電時は、定電流回路に、定電流回路の電源に用いる電圧とバッテリ電圧との間の差分が印加される。バッテリが短絡したときあるいはバッテリが空または空に近い状態のときには、バッテリ電圧が低い。バッテリ電圧が低いときには定電流回路に印加される電圧が高くなり、定電流回路の発熱が増大するという問題があった。
【０００５】
本発明は、上述のような課題を解決するためになされたもので、充電電流を生成する回路の発熱を抑制することのできる照明装置を提供することを目的とする。
【課題を解決するための手段】
【０００６】
本発明にかかる照明装置は、光源と、バッテリと、前記バッテリから前記光源を点灯させる電力を生成する非常点灯装置と、を備え、前記非常灯点灯装置は、交流電力を整流して第一直流電力を生成する整流回路と、前記第一直流電力から定電流を生成することで前記バッテリを充電する充電回路と、を含み、前記充電回路は、リファレンス端子の電圧に応じた出力電圧を出力する電圧レギュレータと、前記電圧レギュレータの前記出力電圧に応じた出力電流を出力する半導体能動素子と、を含み、前記出力電流に応じた電圧を前記リファレンス端子に入力するように構築された定電流回路と、前記バッテリの電圧が予め定めた閾電圧以下であるときには第一定電流を出力し、前記バッテリの電圧が前記閾電圧を上回った場合には前記第一定電流よりも大きい第二定電流を出力するように、前記定電流回路の定電流値を調節する可変抵抗回路と、を含む。
【発明の効果】
【０００７】
本発明によれば、バッテリ電圧が低い時にはバッテリの充電電流を低下させるので、電流生成回路の発熱を低減することができる。
【図面の簡単な説明】
【０００８】
【図１】本発明の実施の形態にかかる充電回路および非常灯点灯装置を示す図である。
【図２】本発明の実施の形態にかかる充電回路を示す図である。
【図３】本発明の実施の形態にかかる充電回路におけるバッテリ電圧と消費電力の関係を示すグラフである。
【図４】比較例にかかる充電回路におけるバッテリ電圧と消費電力の関係を示すグラフである。
【発明を実施するための形態】
【０００９】
図１は、本発明の実施の形態にかかる充電回路１３および非常灯点灯装置１０を示す図である。充電回路１３は、非常灯点灯装置１０の内部に含まれている。図１には、非常灯点灯装置１０を含む照明装置３も図示されている。照明装置３は、ランプ８と、点検スイッチ２と、常用点灯装置６と、非常灯点灯装置１０と、バッテリ６０とを備える。ランプ８は、蛍光灯、ハロゲン、あるいは白熱電球などのランプである。点検スイッチ２は、常用電源（すなわち商用交流電源１）と接続する。常用点灯装置６は、点検スイッチ２と接続している。常用点灯装置６は、商用交流電源１からの電力を変換するコンバータ回路を含み、コンバータ回路でランプ８を点灯させる公知の点灯装置を用いることができる。非常灯点灯装置１０は、非常時に常用点灯装置６に代えてランプ８を点灯させる。
【００１０】
非常灯点灯装置１０は、全波整流回路１２と、充電回路１３と、電圧変換回路２２と、リレー２４と、制御電源回路１６と、制御回路１８とを備える。全波整流回路１２は、交流電力を整流して直流電圧を生成する。充電回路１３は、直流電圧を用いてバッテリ６０を充電する。電圧変換回路２２は、例えばランプが蛍光ランプの場合には、バッテリ６０の電圧を変換する絶縁型の昇圧コンバータ回路を含み、非常時にバッテリ６０の電圧からランプ８を点灯させるための電力を生成する。リレー２４は、出力端子と、常用点灯装置６と接続するための第１入力端子と、電圧変換回路２２の出力電圧が供給される第２入力端子とを備えている。リレー２４は、出力端子に対して第１入力端子と第２入力端子を選択的に接続可能である。制御電源回路１６は、充電回路１３から制御用電力を取得するとともに、リレー２４を制御する。制御回路１８は、バッテリ６０の充電中に電圧変換回路２２にオフ信号を送り、非常時にこのオフ信号を解除する。
【００１１】
図２は、本発明の実施の形態にかかる充電回路１３を示す図である。充電回路１３は、フライバックコンバータ回路１４と、電流生成回路２０とを備える。フライバックコンバータ回路１４は、一次巻線Ｔ１および二次巻線Ｔ２を有するトランスＴＲと、二次巻線Ｔ２に並列接続する出力平滑コンデンサＣ３とを備える。一次巻線Ｔ１には、直流電圧が入力される。二次巻線Ｔ２はダイオードＤ１に接続し、二次巻線Ｔ２に発生する脈動電圧が出力平滑コンデンサＣ３で平滑される。
【００１２】
フライバックコンバータ回路１４は、さらに、制御ＩＣ５０、ダイオードＤ４、コンデンサＣ１、Ｃ４、Ｃ５、抵抗Ｒ３、フォトトランジスタＰＣ１１およびフォトダイオードＰＣ１２からなるフォトカプラ、抵抗Ｒ１、Ｒ２、および定電圧制御部５２を備えている。制御ＩＣ５０は、ＭＯＳＦＥＴ、およびこのＭＯＳＦＥＴをオン／オフ制御する制御回路部を内蔵している。制御ＩＣ５０の制御回路部は、ＰＦＣ機能を有する公知の力率改善回路を含む。フォトカプラを介して電圧Ｖ１を制御ＩＣ５０の制御回路部にフィードバックして、一定電圧に制御している。
【００１３】
電流生成回路２０は、出力平滑コンデンサＣ３と接続し、出力平滑コンデンサＣ３の電圧Ｖ１からバッテリ６０を充電する充電電流ＩＢＡＴを生成可能である。バッテリ６０の電圧値を、以下「バッテリ電圧ＶＢＡＴ」とも称す。
【００１４】
電流生成回路２０は、定電流回路２０２と、可変抵抗回路２０３とを備えている。定電流回路２０２は、出力平滑コンデンサＣ３の電圧Ｖ１から電流を生成する。定電流回路２０２は、トランジスタＱ１と、抵抗Ｒ１０、Ｒ１１、Ｒ１２、Ｒ１３と、シャントレギュレータ２０１とを含む。トランジスタＱ１は、出力平滑コンデンサＣ３の電圧が印加される第１端子、バッテリ６０に供給する電流を出力する第２端子、および第１端子と第２端子との導通を制御する制御端子を備える。本実施形態ではトランジスタＱ１がバイポーラトランジスタであり、第１端子がコレクタであり、第２端子がエミッタであり、制御端子がベースである。抵抗Ｒ１０、Ｒ１１の直列回路の一端に電圧Ｖ１が供給され、抵抗Ｒ１０、Ｒ１１の直列回路の他端がトランジスタＱ１のベースに接続される。抵抗Ｒ１３は、トランジスタＱ１のコレクタおよびエミッタに対して並列接続されている。抵抗Ｒ１２には、シャントレギュレータ２０１のリファレンス電圧Ｖｒｅｆが常に印加されるので定電流動作となる。定電流となるようにトランジスタＱ１のコレクタエミッタ間電圧ＶＣＥが変化して制御されている。トランジスタＱ１、抵抗Ｒ１３には電圧Ｖ１−（ＶＢＡＴ＋Ｖｒｅｆ）が印加される。シャントレギュレータ２０１のアノードはバッテリ６０と抵抗Ｒ１２の接続点に接続している。シャントレギュレータ２０１のリファレンス端子はトランジスタＱ１のエミッタと抵抗Ｒ１２の接続点に接続している。このリファレンス端子に、トランジスタＱ１のエミッタ電流と抵抗Ｒ１３に流れる電流に応じた電圧が入力される。シャントレギュレータ２０１のカソードは抵抗Ｒ１０と抵抗Ｒ１１の接続点に接続しており、このカソードの電圧に応じてトランジスタＱ１のベース電流が変化する。
【００１５】
可変抵抗回路２０３は、定電流回路２０２とバッテリ６０との間に設けられ、これらの間の抵抗の値を変更可能である。可変抵抗回路２０３は、バッテリ電圧ＶＢＡＴが予め定めた閾電圧ＶＴＨ以下である場合には、定電流回路２０２とバッテリ６０の間の抵抗を第１抵抗値に設定する。可変抵抗回路２０３は、バッテリ電圧ＶＢＡＴが閾電圧ＶＴＨを上回った場合には、定電流回路２０２とバッテリ６０との間の抵抗を第１抵抗値よりも小さい第２抵抗値に設定する。後述するように、第１抵抗値は、抵抗Ｒ１２の抵抗値である。第２抵抗値は、抵抗Ｒ１２と抵抗Ｒ１５とを並列接続したときの抵抗値であり、第１抵抗値よりも小さな値となる。例えば抵抗Ｒ１２と抵抗Ｒ１５を同じ抵抗値とした場合には、第２抵抗値は、第１抵抗値の半分の値となる。
【００１６】
前述したようにシャントレギュレータ２０１のリファレンス端子とバッテリ６０との間には、抵抗Ｒ１２が挿入されている。可変抵抗回路２０３は、抵抗Ｒ１５、第２トランジスタＱ２、およびＭＯＳＦＥＴＱ３を備えている。抵抗Ｒ１２、Ｒ１５の関係についての説明をわかりやすくするために、以下、便宜上、抵抗Ｒ１２を「第１抵抗Ｒ１２」とも称し、抵抗Ｒ１５を「第２抵抗Ｒ１５」とも称する。第２抵抗Ｒ１５は、第１抵抗Ｒ１２に並列接続されている。第２トランジスタＱ２およびＭＯＳＦＥＴＱ３は、第１抵抗Ｒ１２と第２抵抗Ｒ１５との間の接続を切り替える切り替え手段である。具体的には、第２トランジスタＱ２およびＭＯＳＦＥＴＱ３は、バッテリ電圧ＶＢＡＴが閾電圧ＶＴＨ以下である場合には第１抵抗Ｒ１２と第２抵抗Ｒ１５との並列接続を切り離し、バッテリ電圧ＶＢＡＴが閾電圧ＶＴＨを上回った場合には第１抵抗Ｒ１２に第２抵抗Ｒ１５を並列接続する。
【００１７】
この仕組みをより具体的に説明すると、第２抵抗Ｒ１５の並列接続を選択的に行うために、可変抵抗回路２０３はバイポーラトランジスタである第２トランジスタＱ２、ＰチャネルのＭＯＳＦＥＴＱ３、および抵抗Ｒ１４、Ｒ１６、Ｒ１７を備えている。抵抗Ｒ１４の一端は、第２抵抗Ｒ１５とＭＯＳＦＥＴＱ３のソースとの接続点に接続している。ＭＯＳＦＥＴＱ３のドレインは、第１抵抗Ｒ１２とバッテリ６０との接続点に接続している。抵抗Ｒ１４の他端は、ＭＯＳＦＥＴＱ３のゲートと第２トランジスタＱ２のコレクタとの接続点に接続している。抵抗Ｒ１７の一端は第１抵抗Ｒ１２とバッテリ６０との接続点に接続し、抵抗Ｒ１７の他端は抵抗Ｒ１６の一端と接続し、抵抗Ｒ１６の他端は基準電位に接続している。第２トランジスタＱ２のベースは抵抗Ｒ１７と抵抗Ｒ１６の接続点に接続し、第２トランジスタＱ２のエミッタは基準電位に接続されている。このような回路構成において、バッテリ電圧ＶＢＡＴが閾電圧ＶＴＨ以下であるときに第２トランジスタＱ２がオフとなり、バッテリ電圧ＶＢＡＴが閾電圧ＶＴＨを上回った場合に第２トランジスタＱ２がオンとなるように、第２トランジスタＱ２および抵抗Ｒ１６、Ｒ１７を設計しておく。閾電圧ＶＴＨは、予め任意の値に定めることができ、本実施の形態では一例として３．５Ｖとする。
【００１８】
第２トランジスタＱ２がオフのときには、ＭＯＳＦＥＴＱ３もオフとなり、第２抵抗Ｒ１５の他端が開放状態となる。このとき、第１トランジスタＱ１のエミッタとバッテリ６０との間には第１抵抗Ｒ１２のみが介在する。一方、第２トランジスタＱ２がオンのときには、ＭＯＳＦＥＴＱ３もオンとなり、第２抵抗Ｒ１５の他端がバッテリ６０に接続される。つまり第１抵抗Ｒ１２に対して第２抵抗Ｒ１５が並列に挿入される。これにより、第１トランジスタＱ１のエミッタとバッテリ６０との間には、第１抵抗Ｒ１２と第２抵抗Ｒ１５の並列回路が介在する。第１抵抗Ｒ１２単独のときよりもこれに第２抵抗Ｒ１５が並列接続したときのほうが、トランジスタＱ１のエミッタとバッテリ６０との間の抵抗値が下がるので、より大きな充電電流ＩＢＡＴがバッテリ６０に供給される。
【００１９】
以下、充電回路１３の動作および回路発熱を抑制する効果を説明する。図３は、充電回路１３におけるバッテリ電圧と消費電力の関係を示すグラフである。また、本実施形態の充電回路１３の動作を説明するための比較例として、可変抵抗回路２０３が無い場合について説明する。具体的には、この比較例は、電流生成回路２０から可変抵抗回路２０３を取り除き、第１抵抗Ｒ１２に対して第２抵抗Ｒ１５が常時並列接続するようにしたものである。図４は、可変抵抗回路２０３が無い場合の充電回路におけるバッテリ電圧と消費電力の関係を示すグラフである。
【００２０】
「電圧Ｖ１とバッテリ電圧ＶＢＡＴの差」が「シャントレギュレータ２０１のリファレンス電圧Ｖｒｅｆと第１トランジスタＱ１のベースエミッタ電圧Ｖｂｅの和」よりも大きいときには、充電電流ＩＢＡＴがバッテリ６０に供給される。充電電流ＩＢＡＴのほとんどは第１トランジスタＱ１を流れるので、第１トランジスタＱ１が発熱する。
【００２１】
図４は、可変抵抗回路２０３が無い場合の充電回路１３における、充電電流ＩＢＡＴと第１トランジスタＱ１の消費電力との関係を示すグラフである。ただし、電圧Ｖ１＝１３Ｖ、抵抗Ｒ１０＝１ｋΩ、抵抗Ｒ１１＝５６Ω、抵抗Ｒ１２＝２２Ω、抵抗Ｒ１３＝１８０Ω、抵抗Ｒ１５＝１８Ωであるものとする。Ｖｒｅｆ＝１．２５Ｖのシャントレギュレータ２０１を使用しているものとし、バッテリ電圧ＶＢＡＴが変化した場合の特性を示している。
【００２２】
バッテリ６０が空に近いとき（バッテリ電圧ＶＢＡＴ＝０Ｖ付近のとき）は、第１トランジスタＱ１で１Ｗを超える電力が消費されている。消費電力が大きい場合には放熱部品を追加したり部品のサイズアップをしたりすることで発熱を抑制することもできるが、このような対策では実装面積の増大およびコストアップを招いてしまう。
【００２３】
そこで、本実施の形態では、図２に示すように、バッテリ電圧ＶＢＡＴを検出し充電電流ＩＢＡＴを切り替えるように、可変抵抗回路２０３を電流生成回路２０に設けている。図２に示す回路構成においてバッテリ電圧ＶＢＡＴが閾電圧ＶＴＨ（本実施の形態では３．５Ｖ）以上の場合はＭＯＳＦＥＴＱ３がオンしているので、可変抵抗回路２０３が無い場合の回路構成とほぼ同じとなる。
【００２４】
バッテリ電圧ＶＢＡＴが閾電圧ＶＴＨ未満の場合はＭＯＳＦＥＴＱ３がオフするので、抵抗Ｒ１５に電流が流れなくなり充電電流ＩＢＡＴが減少する。
【００２５】
図３には、バッテリ電圧ＶＢＡＴが変化した場合の充電電流ＩＢＡＴの変化および第１トランジスタＱ１での消費電力が図示されている。電流生成回路２０は、バッテリ電圧ＶＢＡＴを検知し、バッテリ電圧ＶＢＡＴが閾電圧ＶＴＨ以下であるときには約０．０７Ａの定電流を出力し、バッテリ電圧ＶＢＡＴが閾電圧ＶＴＨを上回った場合には充電電流ＩＢＡＴを増加して約０．１３Ａの定電流を出力する。なお、閾電圧ＶＴＨは３．５Ｖである。特に、電流生成回路２０は、約０．０７Ａの定電流と、約０．１３Ａの定電流とを、閾電圧ＶＴＨを境に、段状につまり不連続的に切り替える。これによりバッテリ電圧ＶＢＡＴが低い時には充電電流ＩＢＡＴを低下させるので、第１トランジスタＱ１の発熱を低減することができる。
【００２６】
図３に示すように、バッテリ電圧ＶＢＡＴが閾電圧ＶＴＨ以下のときには、バッテリ電圧ＶＢＡＴが閾電圧ＶＴＨを上回っているときよりも、充電電流ＩＢＡＴを約１／２程度に低減することができる。これにより、図４と比較して、バッテリ電圧ＶＢＡＴが低い領域における第１トランジスタＱ１における電力消費を抑制できる。
【００２７】
なお、本実施の形態では定電流回路２０２を、トランジスタＱ１と、抵抗Ｒ１０、Ｒ１１、Ｒ１２、Ｒ１３と、シャントレギュレータ２０１とを含む回路構成としたが、本発明はこれに限られるものではない。定電流回路としては既に各種の回路構成が公知であるから、これら公知の定電流回路を定電流回路２０２に適用することで電圧Ｖ１から定電流を生成すればよい。
【００２８】
本発明の実施の形態の変形例として、充電回路１３から可変抵抗回路２０３が取り除かれ、第２抵抗Ｒ１５が第１抵抗Ｒ１２に常時並列接続され、第１トランジスタＱ１のベースに接続する抵抗Ｒ１１を可変抵抗部として変更してもよく、これにより実施の形態と同様の効果が得られる。可変抵抗部は、図２の抵抗Ｒ１１に選択的に抵抗を接続させるものとしてもよく、この抵抗の選択的な並列接続は可変抵抗回路２０３と同様の仕組みにより行っても良い。なお、信頼性などの面では、ベースに接続する抵抗値を一定にすることのできる図２の電流生成回路２０のほうが優れている。
【００２９】
本実施の形態では、閾電圧ＶＴＨを３．５Ｖに設定したが、本発明はこれに限られない。３．５Ｖより高くとも良く、３．５Ｖより低くともよい。ここで、閾電圧ＶＴＨは、バッテリ６０の充電量を基準として設定してもよい。つまり、バッテリ６０の充電量が「０％以上かつ満充電未満の予め定めた所定充電量」となったときに、バッテリ電圧ＶＢＡＴが閾電圧ＶＴＨに一致するように定めても良い。例えば、この所定充電量は、バッテリ６０の満充電の０％以上かつ５０％未満の範囲内のいずれかの量に定めても良く、具体的には、１０％、２０％、３０％、４０％、あるいは５０％に定めても良い。例えば図３において満充電時のバッテリ電圧ＶＢＡＴを９Ｖとする。この場合、バッテリ電圧ＶＢＡＴが９Ｖのときを充電量１００％とすると、単純計算ではバッテリ電圧ＶＢＡＴが３．５Ｖのときの充電量は約３９％である。つまり、約３９％の充電量でバッテリ電圧ＶＢＡＴが閾電圧ＶＴＨである３．５Ｖに達し、充電電流ＩＢＡＴを切り替えるという動作が実現している。ここで述べたバッテリ６０の充電量の算出方式は便宜上例示したものであり本発明を限定するものではない。バッテリ電圧ＶＢＡＴとバッテリ６０の充電量との間の相関があるので、充電量が何十％のときに充電電流ＩＢＡＴを切り替えるかを任意に定めればよい。ただし、本実施の形態は、バッテリ６０が空あるいは空に近いときの充電電流ＩＢＡＴを抑制して充電時の回路発熱を抑制することを念頭においている。よって、少なくとも空あるいは空に近いある程度低いバッテリ電圧ＶＢＡＴのときには、充電電流ＩＢＡＴが低い値に切り替えられていることが好ましい。
【００３０】
なお、上述した実施の形態にかかる充電回路１３は、フライバックコンバータ回路１４を備えている。しかしながら本発明はこれに限られるものではない。電流生成回路２０に電圧Ｖ１を生成できる電圧生成回路を用いればよく、具体的にはフライバックコンバータ以外のコンバータ回路を適用してもよい。
【符号の説明】
【００３１】
１  商用交流電源、２  点検スイッチ、３  照明装置、６  常用点灯装置、８  ランプ、１０  非常灯点灯装置、１２  全波整流回路、１３  充電回路、１４  フライバックコンバータ回路、１６  制御電源回路、１８  制御回路、２０  電流生成回路、２２  電圧変換回路、２４  リレー、５２  定電圧制御部、６０  バッテリ、２０１  シャントレギュレータ、２０２  定電流回路、２０３  可変抵抗回路、Ｃ３  出力平滑コンデンサ、Ｄ１、Ｄ４  ダイオード、５０  制御ＩＣ、ＰＣ１１  フォトトランジスタ、ＰＣ１２  フォトダイオード、Ｑ１、Ｑ２  トランジスタ、Ｑ３  ＭＯＳＦＥＴ、Ｔ１  一次巻線、Ｔ２  二次巻線、Ｔ３  補助巻線、ＴＲ  トランス
【図１】
2019033663.tif 000003
【図２】
2019033663.tif 000004
【図３】
2019033663.tif 000005
【図４】
2019033663.tif 000006